(57)【要約】【課題】軸組構法による建築物の建築方法を改善し、少ない人数でより早くかつ安全に建方を完了させることが可能な建築方法の提供。【解決手段】（ａ）布基礎１の天端上にアンカーボルトを用いて土台２を固定し、（ｂ）土台２により囲まれた面上に１階床ステージ４を形成し、（ｃ）１階床ステージ４上で柱材や横架材を組み合わせて１階外周壁組７を形成し、（ｄ）１階外周壁組７を土台２上に建て起こし、建て起こした１階外周壁組７の管柱２１とアンカーボルトとを固定し、（ｅ）１階外周壁組７の最上部の横架材により囲まれた面上に２階床ステージ９を形成し、（ｆ）２階床ステージ９上で柱材や横架材を組み合わせて２階外周壁組１１を形成し、（ｇ）２階外周壁組１１を１階外周壁組７の最上部の横架材上に建て起こし、建て起こした２階外周壁組１１と１階外周壁組７の最上部の横架材とを固定し、（ｈ）小屋組１３を形成する。【選択図】        図１
2004197406.tif 000002
【特許請求の範囲】
【請求項１】
基礎の天端上にアンカーボルトを用いて土台を固定する第１工程と、
前記土台により囲まれた面上に１階床ステージを形成する第２工程と、
前記１階床ステージ上で柱材および横架材を組み合わせて１階外周壁組を形成する第３工程と、
前記１階外周壁組を前記土台上に建て起こす第４工程と、
前記建て起こした１階外周壁組の柱材と前記アンカーボルトとを固定する第５工程と
を含む軸組構法による建築物の建築方法。
【請求項２】
前記アンカーボルトは前記土台上面から突き出さないように設置し、
前記第２工程において、前記１階床ステージは前記土台内側まで形成し、
前記第５工程において、前記１階外周壁組の柱材に固定した継手部材と前記アンカーボルトとを高ナットを用いて連結する
ことを特徴とする請求項１記載の軸組構法による建築物の建築方法。
【請求項３】
前記アンカーボルトは前記１階床ステージ上面から突き出さないように設置し、
前記第２工程において、前記１階床ステージは前記土台上面まで形成し、
前記第５工程において、前記１階外周壁組の柱材に固定した継手部材と前記アンカーボルトとを高ナットを用いて連結する
ことを特徴とする請求項１記載の軸組構法による建築物の建築方法。
【請求項４】
土間床構造の基礎の天端上にアンカーボルトを用いて土台を固定する第１工程と、
前記土台により囲まれた前記基礎上に大引きを形成する第２工程と、
前記大引き上で柱材および横架材を組み合わせて１階外周壁組を形成する第３工程と、
前記１階外周壁組を前記土台上に建て起こす第４工程と、
前記建て起こした１階外周壁組の柱材と前記アンカーボルトとを固定する第５工程と
を含む軸組構法による建築物の建築方法。
【請求項５】
前記アンカーボルトは前記土台上面から突き出さないように設置し、
前記第５工程において、前記１階外周壁組の柱材に固定した継手部材と前記アンカーボルトとを高ナットを用いて連結する
ことを特徴とする請求項４記載の軸組構法による建築物の建築方法。
【請求項６】
前記第３工程において、前記１階外周壁組の最下部の横架材を前記１階外周壁組の柱材とほぞ接ぎすることを特徴とする請求項１から５のいずれかに記載の軸組構法による建築物の建築方法。
【請求項７】
前記第３工程において、前記１階外周壁組に筋かいまたは構造用合板を組むことを特徴とする請求項１から６のいずれかに記載の軸組構法による建築物の建築方法。
【請求項８】
前記第５工程の後さらに、
前記１階外周壁組の最上部の横架材により囲まれた面上に２階床ステージを形成する第６工程と、
前記２階床ステージ上で柱材および横架材を組み合わせて２階外周壁組を形成する第７工程と、
前記２階外周壁組を前記１階外周壁組の最上部の横架材上に建て起こす第８工程と、
前記建て起こした２階外周壁組の柱材と前記１階外周壁組の最上部の横架材とを固定する第９工程と
を含む請求項１から７のいずれかに記載の軸組構法による建築物の建築方法。
【請求項９】
前記２階外周壁組の柱材と前記１階外周壁組の最上部の横架材とを固定するジョイントボルトは前記１階外周壁組の最上部の横架材から突き出さないように設置し、
前記第７工程において、前記２階床ステージは前記１階外周壁組の最上部の横架材内側まで形成し、
前記第９工程において、前記２階外周壁組の柱材に固定した継手部材と前記ジョイントとを高ナットを用いて連結する
ことを特徴とする請求項８記載の軸組構法による建築物の建築方法。
【請求項１０】
前記２階外周壁組の柱材と前記１階外周壁組の最上部の横架材とを固定するジョイントボルトは前記２階床ステージ上面から突き出さないように設置し、
前記第７工程において、前記２階床ステージは前記１階外周壁組の最上部の横架材上面まで形成し、
前記第９工程において、前記２階外周壁組の柱材に固定した継手部材と前記ジョイントとを高ナットを用いて連結する
ことを特徴とする請求項８記載の軸組構法による建築物の建築方法。
【請求項１１】
前記第７工程において、前記２階外周壁組の最下部の横架材を前記２階外周壁組の柱材とほぞ接ぎすることを特徴とする請求項８から１０のいずれかに記載の軸組構法による建築物の建築方法。
【請求項１２】
前記第７工程において、前記２階外周壁組に筋かいまたは構造用合板を組むことを特徴とする請求項８から１０のいずれかに記載の軸組構法による建築物の建築方法。
【発明の詳細な説明】
【０００１】
【発明の属する技術分野】
本発明は、主として柱材および梁、桁等の横架材を組み合わせる軸組構法による建築物の建築方法に関する。
【０００２】
【従来の技術】
従来、我が国では、長年に渡り、木造建築物を主に軸組構法（在来工法）といわれる方法により建築してきた（例えば、特許文献１、非特許文献１を参照。）。軸組構法の主な特徴は、次の通りである。
▲１▼梁、桁等の横架材と柱材からなる構造（軸組構造）を有する。
▲２▼布基礎は一体の鉄筋コンクリート造、または無筋コンクリート造である。
▲３▼最下階の下部に土台がある。
▲４▼柱は建築基準法施行令第４３条を満足する断面寸法を持つ。
【０００３】
軸組構法の施工は、
（ａ）基礎の天端上に土台を固定する工程、
（ｂ）土台上に通し柱、１階管柱を立設し、胴差により連結して１階部分の軸組を組み上げる工程、
（ｃ）胴差間に２階の床梁を掛け渡し、その上に根太等を配して床組を行い、この床組の上に２階の床を敷き込む工程、
（ｄ）胴差上に２階管柱を立設し、この管柱と通し柱とに軒桁、小屋梁等を連結して２階部分の軸組を組み上げる工程、
（ｅ）２階部分の軸組の上に小屋組を組み上げる工程
により行う。
【０００４】
その後、我が国に北米の木造構法である枠組壁工法、いわゆるツーバイフォー工法が取り入れられた（例えば、特許文献２、非特許文献１を参照。）。枠組壁工法では、ツーバイフォーと呼称される部材（断面が２×４インチ（４０×９０ｍｍ）程度）が最も頻用される。枠組壁工法の主な特徴は、次の点にある。
▲１▼構造耐力上使用される木材の断面寸法の種類が少ない。
▲２▼構造部材の継手・仕口が簡単で、くぎ・金物によって緊結する。
▲３▼建方工事にあっては、床組を利用するなどの合理性を持っており、現場での生産性が高い。
▲４▼基本的に壁はスタッド（たて枠）の両面に下地材としてボードを張る大壁式構造である。
【０００５】
枠組壁工法の施工は、
（ａ）構築した布基礎の上に土台を取り付ける工程、
（ｂ）水平な１階床パネルを構築する工程、
（ｃ）構築した１階床パネルの上で１階壁パネルを組み立て、これを建て起こす工程、
（ｄ）２階床パネルを構築する工程、
（ｅ）構築した２階床パネルの上で２階壁パネルを組み立て、これを建て起こす工程、
（ｆ）小屋組を構築する工程
により行うのが一般的である。
【０００６】
上記軸組構法と枠組壁工法との主な相違点は、次の通りである。
【表１】
2004197406.tif 000003
【０００７】
【特許文献１】
特開平１１−３０３２０３号公報
【特許文献２】
特開２０００−２５７１５２号公報
【非特許文献１】
木質構造研究会編著，「木造構造建築読本  ティンバーエンジニアリングのすべて」，第１版，株式会社井上書院，１９８８年１１月２５日，ｐ．３０−５９、図１．１１、図１．１７
【０００８】
【発明が解決しようとする課題】
枠組壁工法は、床パネルと壁パネルによって建築物を一体化し、一種の箱を組み立てることを基本とした構法であり、建方工事にあっては、床組を利用するなどの合理性を有するため、現場での生産性が高い。一方、我が国の高温多湿な気候風土に最も適しているのは、従来の軸組構法による建築物であり、その人気も根強いものがある。
【０００９】
ところが、従来の軸組構法では、土台上に柱材が１本ずつ大工の手によって立てられ、クレーンで吊り上げられた胴梁と立体的に組み合わされる。すなわち、従来の軸組構法は、三次元空間内での作業が主である。そのため、作業は非常に不安定で、安全性に乏しいという問題がある。
【００１０】
また、上棟日には、１日で建方を完了し、雨仕舞まで行うことが必要であるため、大勢の大工を投入しており、人件費が高くなる傾向にある。さらに、従来の軸組構法では、柱材を１本ずつ建てることが必要であるため、枠組壁工法のように床パネルや壁パネルを先行製作して上棟日に組み付けるという作業を行うことができないことも、生産性向上に繋がらない理由となっている。
【００１１】
そこで、本発明においては、軸組構法による建築物の建築方法を改善し、少ない人数でより早くかつ安全に建方を完了させることが可能な建築方法を提供することを目的とする。
【００１２】
【課題を解決するための手段】
本発明の軸組構法による建築物の建築方法は、基礎の天端上にアンカーボルトを用いて土台を固定する第１工程と、土台により囲まれた面上に１階床ステージを形成する第２工程と、１階床ステージ上で柱材および横架材を組み合わせて１階外周壁組を形成する第３工程と、１階外周壁組を土台上に建て起こす第４工程と、建て起こした１階外周壁組の柱材とアンカーボルトとを固定する第５工程とを含むことを特徴とする。
【００１３】
本発明の建築方法では、軸組構法において基礎の天端上にアンカーボルトを用いて土台を固定した後、土台上に柱材を１本ずつ立てるのではなく、まず土台により囲まれた面上に１階床ステージを形成し、この１階床ステージ上の平面で柱材および横架材を組み合わせて１階外周壁組を形成し、この形成した１階外周壁組を土台上に建て起こしてアンカーボルトとを固定することにより、建方工事の主な作業を平面内で行うことができる。また、上棟日の前日までに１階外周壁組を先行製作しておくことができるため、上棟日にはこの先行製作しておいた１階外周壁組を土台上に建て起こして組み付けることにより建方工事を簡略化することができる。
【００１４】
本発明の建築方法において、アンカーボルトは土台上面から突き出さないように設置し、第２工程において、１階床ステージは土台内側まで形成し、第５工程において、１階外周壁組の柱材に固定した継手部材とアンカーボルトとを高ナットを用いて連結することが望ましい。
【００１５】
これにより、１階床ステージを土台内側まで形成した場合には、アンカーボルトが土台上面から突き出さないため、１階床ステージ上で形成した１階外周壁組を土台上に建て起こす際にアンカーボルトが邪魔になることがなく、建て起こし作業が容易となる。その後、アンカーボルトの上から高ナットを用いて、柱材に固定した継手部材を連結することができる。
【００１６】
あるいは、アンカーボルトは１階床ステージ上面から突き出さないように設置し、第２工程において、１階床ステージは土台上面まで形成し、第５工程において、１階外周壁組の柱材に固定した継手部材とアンカーボルトとを高ナットを用いて連結することが望ましい。
【００１７】
これにより、１階床ステージを土台上面まで形成した場合には、アンカーボルトが土台上面の１階床ステージ上面から突き出さないため、１階床ステージ上で形成した１階外周壁組を土台上の１階床ステージ上に建て起こす際にアンカーボルトが邪魔になることがなく、建て起こし作業が容易となる。その後、アンカーボルトの上から高ナットを用いて、柱材に固定した継手部材を連結することができる。
【００１８】
また、本発明の別の軸組構法による建築物の建築方法は、土間床構造の基礎の天端上にアンカーボルトを用いて土台を固定する第１工程と、土台により囲まれた基礎上に大引きを形成する第２工程と、大引き上で柱材および横架材を組み合わせて１階外周壁組を形成する第３工程と、１階外周壁組を土台上に建て起こす第４工程と、建て起こした１階外周壁組の柱材とアンカーボルトとを固定する第５工程とを含むことを特徴とする。
【００１９】
本発明の建築方法は、例えば、寒冷地住宅のように、床下空間のない土間床構造の基礎を有する建築物を建築する場合に適した方法であり、土台により囲まれた基礎上に大引きを形成し、この大引き上の平面で柱材および横架材を組み合わせて１階外周壁組を形成するものである。床下空間のない土間床構造の基礎の場合、大引き上と土間床構造の基礎上とはわずかな段差であるため、１階外周壁組を形成する作業に支障はない。
【００２０】
ここでも、アンカーボルトは土台上面から突き出さないように設置し、第５工程において、１階外周壁組の柱材に固定した継手部材とアンカーボルトとを高ナットを用いて連結することが望ましく、大引き上で形成した１階外周壁組を土台上に建て起こす際にアンカーボルトが邪魔になることがなく、建て起こし作業が容易となる。
【００２１】
上記第３工程において、１階外周壁組の最下部の横架材を１階外周壁組の柱材とほぞ接ぎすることが望ましい。１階床ステージ上の平面で１階外周壁組の最下部の横架材と柱材とをほぞ接ぎしておくことによって、１階外周壁組を土台上に建て起こす際に支点となる各柱材下部が横架材により互いに固定されるため、１階外周壁組の建て起こし時に各柱材下部がぐらつかないようになる。
【００２２】
また、第３工程において、１階外周壁組に筋かいまたは構造用合板を組むことによって、１階外周壁組の各柱材が１階床ステージ上の平面で筋かいまたは構造用合板により互いに固定されるため、１階外周壁組の建て起こし時に各柱材がぐらつかないようになる。
【００２３】
ところで、２階建て以上の建築物を建築する場合には、前記第５工程の後さらに、１階外周壁組の最上部の横架材により囲まれた面上に２階床ステージを形成する第６工程と、２階床ステージ上で柱材および横架材を組み合わせて２階外周壁組を形成する第７工程と、２階外周壁組を１階外周壁組の最上部の横架材上に建て起こす第８工程と、建て起こした２階外周壁組の柱材と１階外周壁組の最上部の横架材とを固定する第９工程とを含む建築方法とするのが望ましい。
【００２４】
これにより、前述のように１階外周壁組を形成した後、さらにこの１階外周壁組の最上部の横架材により囲まれた面上に２階床ステージを形成し、この２階床ステージ上の平面で柱材および横架材を組み合わせて２階外周壁組を形成し、この形成した２階外周壁組を１階外周壁組の最上部の横架材上に建て起こしてこの１階外周壁組の最上部の横架材と固定することにより、２階建て以上の建築物においてもその建方工事の主な作業を平面内で行うことができる。
【００２５】
ここで、２階外周壁組の柱材と１階外周壁組の最上部の横架材とを固定するジョイントボルトは１階外周壁組の最上部の横架材から突き出さないように設置し、第７工程において、２階床ステージは１階外周壁組の最上部の横架材内側まで形成し、第９工程において、２階外周壁組の柱材に固定した継手部材とジョイントとを高ナットを用いて連結することが望ましい。
【００２６】
これにより、１階床ステージと同様、２階床ステージを横架材内側まで形成した場合には、ジョイントボルトが１階外周壁組の最上部の横架材上面から突き出さないため、２階床ステージ上で形成した２階外周壁組を１階外周壁組の最上部の横架材上に建て起こす際にジョイントボルトが邪魔になることがなく、建て起こし作業が容易となる。その後、ジョイントボルトの上から高ナットを用いて、柱材に固定した継手部材を連結することができる。
【００２７】
あるいは、２階外周壁組の柱材と１階外周壁組の最上部の横架材とを固定するジョイントボルトは２階床ステージ上面から突き出さないように設置し、第７工程において、２階床ステージは１階外周壁組の最上部の横架材上面まで形成し、第９工程において、２階外周壁組の柱材に固定した継手部材とジョイントとを高ナットを用いて連結することが望ましい。
【００２８】
これにより、２階床ステージを１階外周壁組の最上部の横架材上面まで形成した場合には、ジョイントボルトが１階外周壁組の最上部の横架材上面の２階床ステージ上面から突き出さないため、２階床ステージ上で形成した２階外周壁組を１階外周壁組の最上部の横架材上の２階床ステージ上に建て起こす際にジョイントボルトが邪魔になることがなく、建て起こし作業が容易となる。その後、ジョイントボルトの上から高ナットを用いて、柱材に固定した継手部材を連結することができる。
【００２９】
また、上記第７工程において、２階外周壁組の最下部の横架材を２階外周壁組の柱材とほぞ接ぎすることが望ましい。これにより、１階外周壁組と同様、２階外周壁組を１階外周壁組の最上部の横架材上に建て起こす際に支点となる各柱材下部が横架材により互いに固定されるため、２階外周壁組の建て起こし時に各柱材下部がぐらつかないようになる。
【００３０】
また、第７工程において、２階外周壁組に筋かいまたは構造用合板を組むことによって、２階外周壁組の各柱材が２階床ステージ上の平面で筋かいまたは構造用合板により互いに固定されるため、２階外周壁組の建て起こし時に各柱材がぐらつかないようになる。
【００３１】
【発明の実施の形態】
（実施の形態１）
図１は本発明の第１実施形態における軸組構法による建築物の建築方法の概略工程図、図２（ａ）は図１（ｂ）の左側面図、図２（ｂ）は同図（ａ）のＡ−Ａ線断面図、図３は１階床ステージ上で形成する１階外周壁組を示す平面図、図４は１階外周壁組を建て起こした状態における基礎部断面図、図５（ａ）は図１（ｅ）の１階外周壁組上部の左側面図、図５（ｂ）は同図（ａ）のＢ−Ｂ線断面図、図６は２階床ステージ上で形成する２階外周壁組を示す平面図、図７は図１（ｇ）の左側面図である。以下、図１の（ａ）〜（ｈ）に沿って本実施形態における建築方法について説明する。
【００３２】
（ａ）布基礎１の天端上に土台２を形成する（図２を参照。）。このとき、土台２は、布基礎１に埋め込んだアンカーボルト３に丸ワッシャ３ａおよびナット３ｂを用いて固定する。なお、アンカーボルト３は、予め、その上端が土台２の上面から突き出さないように、土台２の上面から３ｍｍ下げた位置にくるように形成しておく。
【００３３】
（ｂ）土台２により囲まれた面上に１階床ステージ４を形成する（図２を参照。）。このとき、必要に応じて、布基礎１の内面や土台２の内面に断熱材５等を設け、また、根太６、大引き（図示せず。）等を設けてから、平面状の１階床ステージ４を形成する。
【００３４】
（ｃ）１階床ステージ４の平面上で柱材としての管柱２１、間柱２２，２３，２４や、横架材としての胴梁３１、間柱受け３２、窓まぐさ３３、窓台３４、上枠３５、下枠３６などを組み合わせて１階外周壁組７を形成する（図３を参照。）。このとき、少なくとも１階外周壁組７の最下部の間柱受け３２および下枠３６は、各管柱２１とほぞ接ぎする。図示例では、窓まぐさ３３および窓台３４も各管柱２１とほぞ接ぎしている。各管柱２１の下端には、土台２とほぞ接ぎするために、予めほぞ２１ａ，２１ｂを形成している。
【００３５】
また、図示例では、管柱２１間に筋かい４１を組み付けている。筋かい４１は、構造用金物４２，４４を用いて管柱２１に、構造用金物４３を用いて管柱２１および胴梁３１に、それぞれ固定している。なお、筋かい４１に代えて、構造用合板を用いることも可能である。
【００３６】
さらにここで、管柱２１を土台２と連結するための継手部材としての引き寄せ金物５１およびジョイントボルト５２を、管柱２１の下部に取り付ける。また、胴梁３１と後述する２階外周壁組１１の管柱２５とを連結するための継手部材としての引き寄せ金物５３およびジョイントボルト５４等を、管柱２１の上部に取り付ける。さらに、必要に応じて、管柱２１と胴梁３１とを引き寄せ金物５５および丸座金付きボルト５６により締結する。
【００３７】
（ｄ）１階外周壁組７を土台２上に建て起こし、建て起こした１階外周壁組７の管柱２１とアンカーボルト３とを固定する（図４を参照。）。固定は、高ナット３ｃを用いてアンカーボルト３とジョイントボルト５２とを連結し、引き寄せ金物５１側のナット５１ａを締め付けることにより行う。
【００３８】
（ｅ）その他の柱材８等を立設し、１階外周壁組７の最上部の横架材である胴梁３１により囲まれた面上に２階床ステージ９を形成する（図５を参照。）。このとき、必要に応じて、根太１０等を設けてから、平面上の２階床ステージ９を形成する。なお、図５に示すように、ジョイントボルト５４は、丸ワッシャ５４ａおよびナット５４ｂ，５３ａを用いて胴梁３１および管柱２１に固定されており、ジョイントボルト５４の上端は胴梁３１の上面から突き出さないように胴梁３１の上面から３ｍｍ下げた位置に配置されている。
【００３９】
（ｆ）２階床ステージ９の平面上で柱材としての管柱２５、間柱２６，２７，２８や、横架材としての桁６１、間柱受け６２、窓まぐさ６３、窓台６４、上枠６５、下枠６６などを組み合わせて２階外周壁組１１を形成する（図６を参照。）。このとき、１階外周壁組７と同様に、少なくとも２階外周壁組１１の最下部の間柱受け６２および下枠６６は、各管柱２５とほぞ接ぎする。図示例では、窓まぐさ６３および窓台６４も各管柱２５とほぞ接ぎしている。各管柱２５の下端には、胴梁３１とほぞ接ぎするために、予めほぞ２５ａ，２５ｂを形成している。
【００４０】
また、図示例では、管柱２５間に筋かい４５を組み付けている。筋かい４５は、構造用金物４２，４４を用いて管柱２５に、構造用金物４３を用いて管柱２５および桁６１に、それぞれ固定している。なお、筋かい４５に代えて、構造用合板を用いることも可能である。
【００４１】
さらにここで、管柱２５を胴梁３１と連結するための継手部材としての引き寄せ金物５１およびジョイントボルト５２を、管柱２５の下部に取り付ける。また、管柱２５と桁６１とを、引き寄せ金物５３，５５および丸座金付きボルト５７，５８により締結する。
【００４２】
（ｇ）２階外周壁組１１を１階外周壁組７の胴梁３１上に建て起こし、建て起こした２階外周壁組１１の管柱２５と胴梁３１とを固定する。固定は、（ｄ）と同様に、高ナット３ｃを用いてジョイントボルト５４とジョイントボルト５６とを連結し、２階外周壁組１１の管柱２５の引き寄せ金物５１側のナット（図示せず）を締め付けることにより行う。図７は２階外周壁組１１を建て起こし固定した後の状態を示している。
【００４３】
（ｈ）その他の柱材１２等を立設し、小屋組１３を形成する。
【００４４】
以上のように、本実施形態における建築方法では、従来のように土台２上に管柱２１を１本ずつ立てるのではなく、土台２により囲まれた面上に１階床ステージ４を形成し、この１階床ステージ４上の平面で管柱２１、間柱２２，２３，２４、胴梁３１、間柱受け３２、窓まぐさ３３、窓台３４、上枠３５、下枠３６などを組み合わせて１階外周壁組７を形成し、土台２上に建て起こすため、建方工事の主な作業は平面内での作業となる。
【００４５】
２階外周壁組１１についても同様に、２階床ステージ９を形成し、この２階床ステージ９上の平面で管柱２５、間柱２６，２７，２８、桁６１、間柱受け６２、窓まぐさ６３、窓台６４、上枠６５、下枠６６などを組み合わせて２階外周壁組１１を形成し、胴梁３１上に建て起こすため、その主な作業は平面内での作業となる。すなわち、本実施形態における建築方法によれば、１階外周壁組７および２階外周壁組１１の形成を平面上で安定して、かつ安全に行うことが可能となる。
【００４６】
また、１階外周壁組７については、上棟日の前日までに先行製作しておくことができるため、上棟日にはこの先行製作しておいた１階外周壁組７を土台２上に建て起こして組み付けることにより建方工事を簡略化することができる。したがって、上棟日には少ない人数でより早く建方を完了させることができる。
【００４７】
また、１階外周壁組７の最下部の横架材である間柱受け３２および下枠３６が各管柱２１とほぞ接ぎされていることから、１階外周壁組７を土台２上に建て起こす際に支点となる各管柱２１下部が間柱受け３２および下枠３６により互いに固定されるため、１階外周壁組７の建て起こし時に各管柱２１下部がぐらつかず、より作業を安定かつ安全に行うことができる。２階外周壁組１１についても同様に、その最下部の横架材である間柱受け６２および下枠６６が各管柱２５とほぞ接ぎされていることから、２階外周壁組１１の建て起こし時に各管柱２５下部がぐらつかず、作業をより安定かつ安全に行うことができる。
【００４８】
また、１階外周壁組７の形成時、１階床ステージ４の平面上で１階外周壁組７に筋かい４１または構造用合板を組むことによって、１階外周壁組７の各管柱２１が平面状態で筋かい４１または構造用合板により互いに固定されるため、１階外周壁組７の建て起こし時に各管柱２１がぐらつかないようになり、作業をさらに安定かつ安全に行うことができる。２階外周壁組１１の筋かい４５または構造用合板についても同様である。
【００４９】
また、布基礎１に埋設するアンカーボルト３は土台２上面から突き出さないように設置し、１階床ステージ４は土台２内側まで形成しておくことで、１階床ステージ４上で形成した１階外周壁組７を土台２上に建て起こす際にアンカーボルト３が邪魔になることがなく、建て起こし作業を容易に行うことができる。その後、この土台２の上面から突き出していないアンカーボルト３の上から高ナット３ｃを用いてジョイントボルト５２を連結し、管柱２１に固定した引き寄せ金物５１により土台２と１階外周壁組７とを容易に締結することができる。２階床ステージ９についても、ジョイントボルト５４を１階外周壁組７の胴梁３１上面から突き出さないように設置しているため、同様のことがいえる。
【００５０】
あるいは、図８（ａ）に示すように１階床ステージ１４を床下地構造用合板により土台２上面まで形成する場合には、布基礎１に埋設するアンカーボルト３を１階床ステージ１４上面から突き出さないように設置する。これにより、１階床ステージ１４上で形成した１階外周壁組７を土台２上の１階床ステージ１４上に建て起こす際にアンカーボルト３が邪魔になることがなく、建て起こし作業を容易に行うことができる。
【００５１】
この場合にも、前述と同様、１階床ステージ１４の上面から突き出していないアンカーボルト３の上から高ナット３ｃを用いてジョイントボルト５２を連結し、管柱２１に固定した引き寄せ金物５１により土台２と１階外周壁組７とを容易に締結することができる。２階床ステージ９についても、ジョイントボルト５４を２階外周壁組７の上面から突き出さないように設置することで、同様の効果が得られる。図８（ｂ）は１階外周壁組７を土台２上に建て起こした状態を示している。
【００５２】
なお、本実施形態においては、１階外周壁組１１の柱材として管柱２１を用いた例について説明したが、通し柱を用いることも可能である。また、本実施形態においては、２階建て建造物の建築方法について説明したが、平屋建て建造物や３階建て以上の建造物についても適用できる。
【００５３】
（実施の形態２）
図９は本発明の第２実施形態における軸組構法による建築物の建築方法の概略工程図、図１０は図９（ｂ）の部分拡大図である。
【００５４】
本実施形態における建築物は、例えば、寒冷地住宅のように床下空間のない土間床構造の基礎を有するものである。以下、図９の（ａ）〜（ｈ）に沿って本実施形態における建築方法について説明するが、第１実施形態と同様の部分については同一符号を付してその詳細な説明を省略する。
【００５５】
（ａ）土間床構造基礎１６の外周天端上にアンカーボルト３を用いて土台２を形成する。なお、アンカーボルト３は、予め、その上端が土台２の上面から突き出さないように、土台２の上面から３ｍｍ下げた位置にくるように形成しておく。
【００５６】
（ｂ）土台２により囲まれた土間床構造基礎１６上に大引き１７を配設する（図１０を参照。）。このとき、必要に応じて、土間床構造基礎１６上に断熱材５、根太（図示せず。）、端根太１８等を設ける。
【００５７】
（ｃ）大引き１７上で柱材および横架材を組み合わせて１階外周壁組７を形成する。１階外周壁組７の構成については第１実施形態において説明したのと同様である。
【００５８】
（ｄ）１階外周壁組７を土台２上に建て起こし、建て起こした１階外周壁組７の管柱２１とアンカーボルト３とを固定する。固定は第１実施形態と同様に行う。
（ｅ）以降の工程については第１実施形態と同様である。１階床１９は図１０（ｈ）の小屋組１３形成後に形成する。
【００５９】
以上のように、本実施形態における建築方法では、土台２により囲まれた土間床構造基礎１６上に大引き１７等を形成し、この大引き１７等上の平面で柱材および横架材を組み合わせて１階外周壁組７を形成する。このとき、第１実施形態において説明した１階床ステージ４は存在しないが、床下空間のない土間床構造基礎１６の場合、大引き１７等の上面と土間床構造基礎１６の上とは、例えば１２０ｍｍ程度のわずかな段差であるため、１階外周壁組７を形成する作業に支障はなく、第１実施形態と同様に１階外周壁組７の形成を平面上で安定して、かつ安全に行うことが可能である。
【００６０】
また、本実施形態においても、アンカーボルト３は土台２上面から突き出さないように設置しているため、大引き１７等の上で形成した１階外周壁組７を土台２上に建て起こす際にこのアンカーボルト３が邪魔になることがなく、建て起こし作業は容易である。
【００６１】
なお、本実施形態における建築方法は、上で説明した土間床構造の他、例えば、特開平１０−２１９７０６号公報に記載のような土間床構造にも適用可能である。
【００６２】
【発明の効果】
本発明により、以下の効果を奏することができる。
【００６３】
（１）基礎の天端上にアンカーボルトを用いて土台を固定し、土台により囲まれた面上に１階床ステージを形成し、１階床ステージ上で柱材および横架材を組み合わせて１階外周壁組を形成し、１階外周壁組を土台上に建て起こし、建て起こした１階外周壁組の柱材とアンカーボルトとを固定することにより、建方工事の主な作業を平面内で安定かつ安全に行うことができる。また、上棟日の前日までに１階外周壁組を先行製作しておくことができるため、上棟日の建方工事を簡略化することができ、少ない人数でより早く建方を完了させることができる。
【００６４】
（２）１階床ステージを土台内側まで形成する場合、基礎に埋設するアンカーボルトを土台上面から突き出さないように設置することで、１階床ステージ上で形成した１階外周壁組を土台上に建て起こす際にアンカーボルトが邪魔になることがなく、建て起こし作業を容易に行うことができる。また、土台と１階外周壁組との締結は、この土台の上面から突き出していないアンカーボルトの上から高ナットを用いて容易に行うことができる。
【００６５】
（３）１階床ステージを土台上面まで形成する場合、基礎に埋設するアンカーボルトを１階床ステージ上面から突き出さないように設置することで、１階床ステージ上で形成した１階外周壁組を土台上の１階床ステージ上に建て起こす際にアンカーボルトが邪魔になることがなく、建て起こし作業を容易に行うことができる。また、土台と１階外周壁組との締結は、この土台の上面から突き出していないアンカーボルトの上から高ナットを用いて容易に行うことができる。
【００６６】
（４）寒冷地住宅のように、床下空間のない土間床構造の基礎を有する建築物を建築する場合、土間床構造の基礎の天端上にアンカーボルトを用いて土台を固定し、土台により囲まれた基礎上に大引きを形成し、大引き上で柱材および横架材を組み合わせて１階外周壁組を形成し、１階外周壁組を土台上に建て起こし、建て起こした１階外周壁組の柱材とアンカーボルトとを固定することにより、建方工事の主な作業を平面内で安定かつ安全に行うことができる。この場合においても、上棟日の前日までに１階外周壁組を先行製作しておくことができるため、上棟日の建方工事を簡略化することができ、少ない人数でより早く建方を完了させることができる。
【００６７】
（５）土間床構造の基礎を有する建築物を建築する場合においても、アンカーボルトが土台上面から突き出さないように設置することで、大引き上で形成した１階外周壁組を土台上に建て起こす際にアンカーボルトが邪魔になることがなく、建て起こし作業を容易に行うことができる。また、土台と１階外周壁組との締結は、この土台の上面から突き出していないアンカーボルトの上から高ナットを用いて容易に行うことができる。
【００６８】
（６）床ステージ上の平面で、外周壁組の最下部の横架材を柱材とほぞ接ぎすることにより、外周壁組を建て起こす際に支点となる各柱材下部が横架材により互いに固定されるため、外周壁組の建て起こし時に各柱材下部がぐらつかず、より作業を安定かつ安全に行うことができる。
【００６９】
（７）床ステージ上の平面で、外周壁組に筋かいまたは構造用合板を組むことにより、外周壁組の各柱材が平面状態で筋かいまたは構造用合板により互いに固定されるため、外周壁組の建て起こし時に各柱材がぐらつかないようになり、作業をさらに安定かつ安全に行うことができる。
【００７０】
（８）２階建て以上の建築物の場合、１階外周壁組の横架材により囲まれた面上に２階床ステージを形成し、２階床ステージ上で柱材および横架材を組み合わせて２階外周壁組を形成し、２階外周壁組を１階外周壁組の横架材上に建て起こし、建て起こした２階外周壁組の柱材と１階外周壁組の横架材とを固定することにより、２階外周壁組の構築作業を主に平面内で安定かつ安全に行うことができる。
【００７１】
（９）２階床ステージを１階外周壁組の横架材内側まで形成する場合、ジョイントボルトを横架材上面から突き出さないように設置することで、２階床ステージ上で形成した２階外周壁組を横架材上に建て起こす際にジョイントボルトが邪魔になることがなく、建て起こし作業を容易に行うことができる。また、１階外周壁組の横架材と２階外周壁組との締結は、この横架材の上面から突き出していないジョイントボルトの上から高ナットを用いて容易に行うことができる。
【００７２】
（１０）２階床ステージを１階外周壁組の横架材上面まで形成する場合、ジョイントボルトを２階床ステージ上面から突き出さないように設置することで、２階床ステージ上で形成した２階外周壁組を１階床ステージの横架材上の２階床ステージ上に建て起こす際にジョイントボルトが邪魔になることがなく、建て起こし作業を容易に行うことができる。また、１階外周壁組と２階外周壁組との締結は、１階外周壁組の横架材上面から突き出していないジョイントボルトの上から高ナットを用いて容易に行うことができる。
【図面の簡単な説明】
【図１】本発明の実施の形態における軸組構法による建築物の建築方法の概略工程図である。
【図２】（ａ）は図１（ｂ）の左側面図、（ｂ）は同図（ａ）のＡ−Ａ線断面図である。
【図３】１階床ステージ上で形成する１階外周壁組を示す平面図である。
【図４】１階外周壁組を建て起こした状態における基礎部断面図である。
【図５】（ａ）は図１（ｅ）の１階外周壁組上部の左側面図、（ｂ）は同図（ａ）のＢ−Ｂ線断面図である。
【図６】２階床ステージ上で形成する２階外周壁組を示す平面図である。
【図７】図１（ｇ）の左側面図である。
【図８】１階床ステージを床下地構造用合板により形成した例を示す基礎部断面図であって、（ａ）は１階床ステージ設置後の状態を示す図、（ｂ）は１階外周壁組を建て起こした状態を示す図である。
【図９】本発明の第２実施形態における軸組構法による建築物の建築方法の概略工程図である。
【図１０】図９（ｂ）の部分拡大図である。
【符号の説明】
１  布基礎
２  土台
３  アンカーボルト
３ａ  丸ワッシャ
３ｂ  ナット
４，１４  １階床ステージ
５  断熱材
６，１０  根太
７  １階外周壁組
８  柱材
９  ２階床ステージ
１１  ２階外周壁組
１２  柱材
１３  小屋組
１６  土間床構造基礎
１７  大引き
１８  端根太
１９  １階床
２１，２５  管柱
２１ａ，２１ｂ，２５ａ，２５ｂ  ほぞ
２２，２３，２４，２６，２７，２８  間柱
３１  胴梁
３２，６２  間柱受け
３３，６３  窓まぐさ
３４，６４  窓台
３５，６５  上枠
３６，６６  下枠
４１，４５  筋かい
４２，４３，４４  構造用金物
５１，５３，５５  引き寄せ金物
５１ａ，５３ａ  ナット
５２，５４  ジョイントボルト
５４ａ  丸ワッシャ
５４ｂ  ナット
５６  丸座金付きボルト
６１  桁
【図１】
2004197406.tif 000004
【図２】
2004197406.tif 000005
【図３】
2004197406.tif 000006
【図４】
2004197406.tif 000007
【図５】
2004197406.tif 000008
【図６】
2004197406.tif 000009
【図７】
2004197406.tif 000010
【図８】
2004197406.tif 000011
【図９】
2004197406.tif 000012
【図１０】
2004197406.tif 000013